(57)【特許請求の範囲】
【請求項１】
略四角形の底板部と、底板部と折線を介して連接し、略四角形である一対の第一側板部と、
底板部と折線を介して連接し、テーパー状（下辺の長さ＜上辺の長さの関係を満たす）であるもう一対の第二側板部と、
第二側板部の上部にそれぞれ左右に延設し先端に係合切込みを有する４個の係合片と、
係合切込みの下辺部と底板部の隅部を結ぶ斜め折線と、
斜め折線と隣接し、第一側板部と接続する接続部と、
少なくともいずれかの第二側板部上部に連接された蓋部と、
を有するブランクシートからなる包装容器であって、
前記各折線で各側板部を起立し、斜め折線を折り畳み、対向する係合片の係合切込みを
係止することで、係止した係合片で形成された持ち手部の内側と第一側板部の外側とが
非接触であることを特徴とする持ち手付電子レンジ調理用包装容器。
【請求項２】
前記底板部と第一側板部とを連接する折線が、底板部中心方向に向かって円弧状であることを特徴とする請求項１記載の持ち手付電子レンジ調理用包装容器。
【請求項３】
前記包装容器が、紙系材料からなり、容器の内面にプラスチックフィルムを積層したことを特徴とする請求項１または２項記載の持ち手付電子レンジ調理用包装容器。
【発明の詳細な説明】
【技術分野】
【０００１】
電子レンジで加熱調理する食品を収納する包装容器に関するものである。特に紙製の電子レンジ調理用容器に関するものである。
【背景技術】
【０００２】
近年、予め調理された食品を密封包装した電子レンジ用の食品が多く販売されている。電子レンジで加熱しても、包装容器が破裂する心配のない容器が用いられ、消費者にとっても便利性のよい食品になっている。
【０００３】
また、家庭においても電子レンジを用いて食品を調理することが多くなっている。電子レンジ対応包装容器に食品を入れて加熱調理するものである。このような電子レンジ調理用食品は、個人の好みに応じて色々調理することができ、各種レシピを紹介する本なども売られている。最近では健康志向もあり、個人で調理する指向が一層高まっている。
【０００４】
電子レンジ加熱調理用の包装容器として、陶器製の容器、耐熱ガラス製の容器や、ポリエチレンテレフタレート、ポリカーボネート、ポリプロピレンなどの耐熱プラスチックを用いた容器、また板紙と耐熱フィルムとのラミネート材を用いた容器、などが用いられている。
【０００５】
包装容器の形状として、陶器製の容器では、トレイ形状、お椀形状、カップ形状、耐熱ガラス製の容器では、トレイ形状、お椀形状、耐熱プラスチック製の容器では、パウチ形状、トレイ形状、板紙と耐熱フィルムとのラミネート材を用いた容器では、トレイ形状、箱形状、カップ形状、などがある。
【０００６】
最近では、特許文献１によれば、環境にやさしい素材の利用から、板紙のシートから絞り加工を行うことにより、お椀形状やトレイ形状にする容器提案がある。
【０００７】
また、特許文献２によれば、調理食品に部分的に焦げ目をつけるシートを部分的に用いた包装容器も提案されている。
【０００８】
しかし電子レンジで調理する時は、食品からの蒸気、液汁の突沸などから、ラップフイルムでカバーするのが一般的である。また食品が熱せられるために容器自体も熱を帯び、直に触れると火傷の心配もある。消費者は、電子レンジで調理する時に、安全に調理できる包装容器と、調理後容易に持ち運びができ、且つお椀形状、トレイ形状のように食用容器として使用できる簡便な容器を求めている。
【先行技術文献】
【特許文献】
【０００９】
【特許文献１】特開２００３−２７３９７号公報
【特許文献２】特開２０００−２１８７２８号公報
【発明の概要】
【発明が解決しようとする課題】
【００１０】
電子レンジで加熱調理する食品を収納する包装容器に関するもので、電子レンジで加熱調理時に、加熱により食品から発生する蒸気、液汁突沸による液飛びなどの心配がなく、調理後、包装容器を取り出すときに熱くなった容器に直接触れることなく、容易に持ち運びができ、且つ使用後は、焼却ごみとして廃棄できる電子レンジ調理用包装容器を提供す
るものである。
【課題を解決するための手段】
【００１１】
上記の課題を解決するために、発明者らは鋭意検討を行い、本発明を完成した。
請求項１に記載の発明は、略四角形の底板部と、底板部と折線を介して連接し、略四角形である一対の第一側板部と、
底板部と折線を介して連接し、テーパー状（下辺の長さ＜上辺の長さの関係を満たす）であるもう一対の第二側板部と、
第二側板部の上部にそれぞれ左右に延設し先端に係合切込みを有する４個の係合片と、
係合切込みの下辺部と底板部の隅部を結ぶ斜め折線と、
斜め折線と隣接し、第一側板部と接続する接続部と、
少なくともいずれかの第二側板部上部に連接された蓋部と、
を有するブランクシートからなる包装容器であって、
前記各折線で各側板部を起立し、斜め折線を折り畳み、対向する係合片の係合切込みを
係止することで、係止した係合片で形成された持ち手部の内側と第一側板部の外側とが
非接触であることを特徴とする持ち手付電子レンジ調理用包装容器である。
請求項２に記載の発明は、前記底板部と第一側板部とを連接する折線が、底板部中心方向に向かって円弧状であることを特徴とする請求項１記載の持ち手付電子レンジ調理用包装容器である。
請求項３に記載の発明は、前記包装容器が、紙系材料からなり、容器の内面にプラスチックフィルムを積層したことを特徴とする請求項１または２項記載の持ち手付電子レンジ調理用包装容器である。
【発明の効果】
【００１２】
本発明は、電子レンジで加熱調理する食品を収納できる包装容器で、接着剤を使用しないで一枚のブランクシートから組み立てることができる。加熱により食品から発生する蒸気、液汁突沸による液飛びなどの心配がなく、調理後、熱くなった容器に直接触れることなく、持ち手部を持つことにより、容易に持ち運びができる。また底板部をお椀形状にすることにより、食品に調味料が染み込み易くなり、調理効果をあげることができる。
【００１３】
請求項１に記載の発明によれば、ブランクシートの各折線で各側板部を起立させ、斜め折線を内側に折り畳んで、対向する係合片の係合切込みを係止することよって、持ち手部ができる。持ち手部の内側と第一側板部の外側が非接触である箱形状、トレイ形状の容器ができる。
【００１４】
加熱された食品を収納する第一側板部は熱を帯びているため、触れると火傷の心配がある。熱が帯びにくい持ち手部を持つことにより容易に持ち運びができる。
【００１５】
また第二側板部の蓋材を係止することにより、調理時に、加熱により食品から発生する蒸気を蓋部の隙間から逃がし、液汁の突沸による液飛びも蓋部で防ぐことができる。
【００１６】
本発明の容器は、組み立て時に接着剤を使用しないことから、調理中に接着剤が溶出し、食品に混入する問題がない。また接着剤の臭いがなく調理効果を上げることができる。
【００１７】
加熱調理後に、天板の係止部を外して、食品を食する容器として使用することができる。
【００１８】
請求項２に記載の発明によれば、底板部と第一側板部とを連接する折線を底板部中心方向に向かって円弧状にいれることによって、起立後の底板部は、底部中心より左右の第二側板の折線部の方が高くなる、即ち底板部がＲ形状になり、底板部の隅部に溜まる調味料
、液汁などを、中心方向に溜まり易くし、調理効果を一層高めることができる。また隅部に溜まった液汁などが焦げたりするのを防ぐことができる。
【００１９】
請求項３に記載の発明によれば、本発明の包装容器は、主に紙系材料からなり、紙と耐熱性プラスチックフィルムを積層した複合材料からなる。容器の内面に耐熱性プラスチックフィルムを使用することで、食品の紙への染み込みによる強度低下を防ぎ、容器自体の剛性強度を上げることができる。
【００２０】
本発明の容器は、板紙などの紙系材料を用いるため、使用後は、焼却ごみとして廃棄することができる。
【図面の簡単な説明】
【００２１】
【図１】本発明の持ち手付電子レンジ調理用包装容器の一例を示す展開図である。
【図２】本発明の持ち手付電子レンジ調理用包装容器の底板部をＲ形状にした一例を示す展開図である。
【図３】図１に示した展開図の組み立て後の容器の蓋を閉じた状態の一例を示す斜視図である。
【図４】図２に示した展開図の組み立て後の容器の蓋を閉じた状態の一例を示す斜視図でである。
【図５】図２に示した展開図の組み立て後の容器の蓋を開けた状態の一例を示す斜視図でである。
【図６】図２に示した展開図の組み立て後の容器の蓋を閉じた状態の一例を示す側面図でである。
【発明を実施するための形態】
【００２２】
以下本発明を実施するための最良の形態につき説明する。
【００２３】
図１は、本発明の持ち手付電子レンジ調理用包装容器の一例を示す展開図である。
【００２４】
底板部２には、折線３１、３２を介して一対の第一側板部３、４が連接されている。また底板部２と折線３３、３４を介して一対の第二側板部５、６が連接されている。
【００２５】
第一側板部３には、左右に折線３５、３６を介して接続部７´、８´が連接され、その接続部には、折線５２、５３を介して接続部７、８が連接されている。
第一側板部４には、左右に折線３７、３８を介して接続部９´、１０´が連接され、その接続部には、折線５４、５５を介して接続部９、１０が連接されている。
【００２６】
第一側板３、４の上部には、折線４７、４８を介してフラップ１５、１６が連接されている。
【００２７】
第二側板部５の上部にそれぞれ左右に折線４３、４５を介して係合切込み２０、２２を有する係合片１１、１３が連接されている。
【００２８】
係合切込み２０、２２の下辺部と底板部２の隅部が斜め折線３９、４１で結ばれ、この斜め折線を介して接続部７、７´、接続部９、９´が連接されている。
【００２９】
折線４９を介して係合切込み２４を有したフラップ１７と連接されている。
【００３０】
第二側板部６の上部にそれぞれ左右に折線４４、４６を介して係合切込み２１、２３を有する係合片１２、１４が連接されている。
【００３１】
係合切込み２１．２３の下辺部と底板部２の隅部を結ぶ斜め折線４０、４２が結ばれ、この斜め折線を介して接続部８、８´、接続部１０、１０´が連接されている。
【００３２】
折線５０を介して蓋部１８が連接され、その蓋部１８には、係合切込み２５を有している。
【００３３】
蓋部１８には、折線５１を介してフラップ１９が連接されている。
【００３４】
以上のようにブランクシート１を作成した。
【００３５】
図２は、本発明の持ち手付電子レンジ調理用包装容器の底板部をＲ形状にした一例を示す展開図である。
【００３６】
底板部２には、円弧状折線３１´、３２´を介して一対の第一側板部３、４が連接されている。また底板部２と折線３３、３４を介して一対の第二側板部５、６が連接されている。その他は図１の説明と同様である。底板部形状をＲ形状にさせたブランクシート１´である。
【００３７】
図３は、図１に示したブランクシート１の組み立て後の容器の蓋を閉じた状態の一例を示す斜視図である。
【００３８】
ブランクシート１の各折線で各側板部を起立させ、斜め折線を内側に折り畳んで、対向する係合片の係合切込み部を係止することよって、持ち手部の内側と第一側板部の外側が非接触である持ち手付電子レンジ調理用包装容器を組み立てることができる。即ち持ち手部の内側と第一側板部の外側までの空隙は、接続部７´、８´、９´、１０´の幅に相当する。よって加熱された食品の熱が伝わらないので、持ち手部を持つことができる。持ち運びができる箱形状、トレイ形状の容器ができる。
【００３９】
図４は、図２に示したブランクシート１´の組み立て後の容器の蓋を閉じた状態の一例を示す斜視図である。
【００４０】
ブランクシート１´の各折線で各側板部を起立させ、第一側板部を円弧状の折線と、斜め折線を内側に折り畳んで、対向する係合片の係合切込みを係止することよって、底板部の形状をＲ形状にすることができる。
【００４１】
図５は、図２に示したブランクシート１´の組み立て後の容器の蓋を開いた状態の一例を示す斜視図である。
【００４２】
図６は、図２に示したブランクシート１´の組み立て後の容器の蓋を開いた状態の一例を示す側面図である。
【００４３】
図５から食品を収納する形状は、長方形の箱、トレイ形状を示し、また底板部は、図６で示すようなＲ形状を示している。
【００４４】
このように底板部をＲ形状にすることにより、底板部の隅に溜まる食品、調味料、液汁などを溜まりにくくし、加熱による焦げなども生じにくくすることができる。
【００４５】
よって調味料や液汁が底板部の中心に集まりやすくなり、食品に調味料や、液汁が染み込み易く、料理の仕上がりがよくなり、美味しくすることができる。
【００４６】
蓋部の係合切込みを係止することにより、加熱により食品から発生する蒸気は、容器と蓋部との隙間から逃げることができる。また液汁の突沸による液飛びも防ぐことができる。
【００４７】
一枚のブランクシートから接着剤を使用しないで、持ち手付電子レンジ調理用包装容器を組み立てることができる。加熱された容器部に触れることがなく、容易に持ち運びができ、且つ加熱された食品から出る蒸気による、液汁の突沸による液飛びによる、火傷の心配がない容器ができる。また、容器形状が、箱形状、トレイ形状であるため、そのまま食品を食することができる。また底板部がＲ形状を示してため、底板部の隅に食品が残りにくくなる効果や、接着剤の臭いがないため、食品を一層美味にし、調理料理の効果を上げることができる。
【００４８】
本発明の容器のサイズは、家庭で使用する電子レンジの加熱部のスペースから決めることができる。各社電子レンジメーカーの仕様は異なるが、加熱部ターンテーブルのサイズ（約直径２００ｍｍ円板）からみて、包装袋の底のサイズは、ターンテーブルに入るようにすればよい。また高さは約１００ｍｍ以下が望ましい。しかし、必ずしもこの数値に限定されない。
【００４９】
本発明の容器に用いる材料は、紙系材料で板紙、パルプモールド、段ボールなど用いることができ、耐熱性フィルムであるポリプピレン、ＰＥＴ（ポリエチレンテレフタレート）、ＴＰＸ（メチルペンテンポリマー）などのフィルムを積層したものを使用できる。またこれら樹脂を用いて押出し機による積層も可能である。またポリ乳酸などの生分解性フィルムを用いることもできる。
【００５０】
また容器の内面に耐熱性フィルムを積層する。更に剛性強度を上げるためには、外面にも積層することが望ましい。外面にも積層することで容器の形状安定性も良くなる。
【００５１】
電子レンジ調理用食品として、お粥、雑炊、茶碗蒸し、蒸パン、ケーキ、ジャム、その他惣菜などの色々な食品に利用できる。
【００５２】
本発明の持ち手付電子レンジ調理用包装容器は、テイクアウト用のカートン箱として利用することもできる。出来立ての熱々食品をテイクアウトする時に、持ち手部を持つことにより容易に持ち運びができる。
【００５３】
本発明の持ち手付電子レンジ調理用包装容器は、販売時では、一枚のブランクシートであり、コンパクトになるため、店頭での陳列時、省スペース、省スタック効果が大きい。
【符号の説明】
【００５４】
１      ブランクシート
１´    ブランクシート（底部Ｒ形状）
２      底板部
３、４    第一側板部
５、６    第二側板部
７、８，９，１０    接続部
７´、８´、９´、１０´    接続部
１１、１２、１３、１４    係合片
１５、１６、１７、１９    フラップ
１８    蓋部
２０、２１、２２、２３    係合切込み（持ち手部）
２４、２５    係合切込み（蓋部）  
３１、３２    底板部と第一側板部との折線
３１´、３２´    底板部と第一側板部との円弧状折線
３３、３４    底板部と第一側板部との折線
３５、３６、３７、３８    第一側板部と接続部との折線
３９、４０、４１、４２    接続部と係合片との斜め折線
４３、４４、４５、４６    第二側板部と係合片との折線
４７、４８    第一側板部とフラップとの折線
４９    第二側板部とフラップとの折線
５０    第二側板部と蓋部との折線
５１    蓋部とフラップとの折線
５２、５３、５４、５５    接続部との折線
６０    蓋を閉じた状態の容器
６１    底板部をＲ形状にし、蓋部を閉じた状態の容器
６２    底板部をＲ形状にし、蓋部を開いた状態の容器
６３    底板部をＲ形状にし、蓋部を閉じた状態の側面観た容器
Ａ      底板部のＲ形状を示す
【図１】
0005428980.tif 000002
【図２】
0005428980.tif 000003
【図３】
0005428980.tif 000004
【図４】
0005428980.tif 000005
【図５】
0005428980.tif 000006
【図６】
0005428980.tif 000007